(57)【要約】    【課題】表面素材として、皮革、人工皮革、布地、エナメル等比較的に軟質な素材を使用したボタンを提供する。    【解決手段】脚部（２１）を有する金属製ベース（２）と、軟質で堅牢な素材を使用した表面部材（４）と、外縁（５）と、中座（３）を有するボタンである。前記表面部材（４）は、上から前記外縁（５）により、下から前記中座（３）により、位置固定されている。中座（３）には、摩擦力を増やすために、溝（３２）、隆起又は突起を設けることが好ましい。表面部材に対して、上側から外縁だけでなく、押さえ板（７）により押さえてもよい。【選択図】図２
2008264013.tif 000002
【特許請求の範囲】
【請求項１】
脚部（２１）を有する金属製ベース（２，２Ａ，２Ｂ，２Ｃ，２Ｄ，２Ｅ，２Ｆ，２Ｇ）と、軟質素材を使用した表面部材（４，４Ａ，４Ｂ，４Ｃ，４Ｄ，４Ｅ，４Ｆ，４Ｇ）と、外縁（５，５Ａ，５Ｂ，５Ｃ，５Ｄ，５Ｅ，５Ｆ，５Ｇ）と、中座（３，３Ａ，３Ｂ，３Ｃ，３Ｄ，３Ｅ，３Ｆ，３Ｇ）を有し、
前記表面部材（４，４Ａ，４Ｂ，４Ｃ，４Ｄ，４Ｅ，４Ｆ，４Ｇ）は、上から前記外縁（５，５Ａ，５Ｂ，５Ｃ，５Ｄ，５Ｅ，５Ｆ，５Ｇ）により、下から前記中座（３，３Ａ，３Ｂ，３Ｃ，３Ｄ，３Ｅ，３Ｆ，３Ｇ）により、位置固定されていることを特徴とするボタン（１，１Ａ，１Ｂ，１Ｃ，１Ｄ，１Ｅ，１Ｆ，１Ｇ）。
【請求項２】
前記中座（３）に溝（３２）を設けた請求項１記載のボタン（１，１Ｂ，１Ｃ，１Ｄ，１Ｅ，１Ｆ）。
【請求項３】
前記中座（３Ａ，３Ｂ，３Ｃ）に隆起（３２Ａ）又は突起（３３，３４）を設けた請求項１記載のボタン（１Ａ，１Ｂ，１Ｃ）。
【請求項４】
前記中座（３Ｇ）にデザインを施した隆起（３５）を設けた請求項１記載のボタン（１Ｇ）。
【請求項５】
前記表面部材（４Ｄ，４Ｅ，４Ｆ）と前記外縁（５Ｄ，５Ｅ，５Ｆ）の間に、押さえ板（７，７Ｅ，７Ｆ）を設けた請求項１ないし４いずれかに記載のボタン（１Ｄ，１Ｅ，１Ｆ）。
【請求項６】
前記押さえ板がネット（７）である請求項５記載のボタン（１Ｄ）。
【請求項７】
前記押さえ板（７Ｅ，７Ｆ）がくり抜き部（７１，７１Ｆ）を有する請求項５記載のボタン（１Ｅ）。
【発明の詳細な説明】
【技術分野】
【０００１】
本発明は、ボタンに関し、特に表面を布地、皮革又はその類似品で覆ったボタンに関する。
【背景技術】
【０００２】
ボタンは、その素材や表面デザインに応じて非常に多くの種類があり、日々新しいものが提供されている。表面素材として例えば皮革を使用した発明としては、下記特許文献１の第１図、第２図に示すような発明が比較的によく知られている。これらは、細幅の皮革テープを折り曲げたり、丸めたりしてボタン表面としたものである。
【特許文献１】特開昭５６−７０７０４号
【発明の開示】
【発明が解決しようとする課題】
【０００３】
上記特許文献１のボタンでは表面の折り曲げ部分に継ぎ目のような線が現れる。それはそれで金属やプラスチックにはない味わいがあってよいのであるが、本発明では、そのような継ぎ目がない、一枚物のような皮革表面部材を有するボタンを目指した。
【０００４】
しかし、そのような一枚物のような皮革部材を表面部材として使用すると、乾燥して小さくなり移動しやすくなったり、洗濯などのときに取れてしまうことがあった。
【０００５】
本発明は、この問題点に鑑みて行われたもので、表面素材として、皮革、人工皮革、布地、エナメル等比較的に軟質な素材を使用したボタンを提供することを目的とする。
【課題を解決するための手段】
【０００６】
本発明のボタンは、脚部を有する金属製ベースと、軟質素材を使用した表面部材と、中座を有し、前記表面部材は、上から前記外縁により、下から前記中座により、位置固定されていることを特徴とする。
【発明の効果】
【０００７】
本発明のボタンは、皮革のような軟質素材が例え一枚物のような状態であっても、外縁及び中座によりしっかりと位置固定されているので、移動することがなく、洗濯にも十分耐えられるものとなった。
【発明を実施するための最良の形態】
【０００８】
本発明において、「軟質素材」とは、皮革、人工皮革、布地、エナメル及びそれらの類似物からなる表面部材をいう。
【０００９】
中座には、摩擦力を増やすために、溝、隆起又は突起を設けることが好ましい。
さらに、中座には、軟質素材に模様を浮き上がらせるために、デザインを施した隆起又は突起を設けることもできる。
【００１０】
さらに好ましくは、表面部材は、上側から外縁だけでなく、押さえ板により押さえられていることである。その目的で、ネットやくり抜き円板を使用することができる。それにより、軟質素材が押さえ板の形状に応じて変形するので、新規な表面デザインのボタンが得られる。
【実施例１】
【００１１】
以下、添付の図面に基づき、本発明の実施例を説明する。
【００１２】
図１は、実施例１に係るボタン１であり、（ａ）は完成状態の斜視図、（ｂ）は部品展開斜視図である。図２は、図１のＡ−Ａ断面図である。
【００１３】
図１（ｂ）に示すように、このボタンは４部品（数え方によっては５部品）からなる。下から、脚部２１を有するベース２、中座３、表面皮革４、外縁５である。
【００１４】
ベース２は外周２２が起立した金属製の皿２３であり、生地取付用の脚部２１を下方に突出させている。
【００１５】
中座３は、金属製の円板３１であり、図２に示されるように、周縁近くにリング状の溝３２を有する。
【００１６】
表面皮革４は、中座３とほぼ同じ大きさに裁断した円板である。
【００１７】
外縁５は、図２に示すように、断面逆Ｕ字状のリングである。
【００１８】
このボタン１を製造するには、ベース２の上に中座３を置き、その上に表面皮革４を置き、外縁５によりかしめればよい。図２に示すように、完成状態では、外縁断面の一方の端部５２は表面皮革４に食い込み、他方の端部５３がベースの外周２２を押さえ込む。表面皮革４は、上からは外縁端部５２により押さえられ、下側では、中座３の溝３２に入り込み、上下で固定される。
【実施例２】
【００１９】
図３は実施例２を表すボタン１Ａの完成状態の断面図である。
【００２０】
実施例１と異なるのは、中座３Ａの置き方である。実施例１では、中座は溝３２が下向きに位置するように置いているが、実施例２では、「溝」を上向きに置いている（すなわち「隆起３２Ａ」となる）。
【００２１】
完成状態では、表面皮革４Ａは、上からは外縁端部５２Ａにより押さえられ、下からは、中座の隆起３２Ａにより押さえられ、上下で固定される。
【実施例３】
【００２２】
図４は、実施例３に係るボタン１Ｂであり、（ａ）は完成状態の斜視図、（ｂ）は部品展開斜視図である。
【００２３】
実施例１と異なるのは、中座３Ｂの形状だけである。この実施例では、中座３Ｂは、外周部から中心部へ向かって伸びる断面三角形の複数の突起３３である。
【００２４】
完成状態では、表面皮革４Ｂは、上からは外縁５Ｂにより押さえられ、下からは、中座の突起３３により押さえられ、上下で固定される。
【実施例４】
【００２５】
図５は、実施例４に係るボタン１Ｃであり、（ａ）は完成状態の斜視図、（ｂ）は部品展開斜視図である。
【００２６】
実施例１と異なるのは、中座３Ｃの形状だけである。この実施例では、中座３Ｃは、外周部近くに位置する複数の小さな半球状の突起３４である。
【００２７】
完成状態では、表面皮革４Ｃは、上からは外縁５Ｃにより押さえられ、下からは、中座の突起３４により押さえられ、上下で固定される。
【実施例５】
【００２８】
図６は、実施例５に係るボタン１Ｄであり、（ａ）は完成状態の斜視図、（ｂ）は部品展開斜視図である。
【００２９】
実施例１と異なるのは、表面皮革４Ｄと外縁５Ｄの間に円形ネットからなる押さえ板７を配置したことである。
【００３０】
完成状態では、表面皮革４Ｄは、上からは外縁５Ｄ及び押さえ板７により押さえられ、下からは、中座３Ｄにより押さえられ、上下で固定される。
【００３１】
この実施例では、図６（ａ）に示すように、円形ネット７が表面皮革４Ｄを押し付けるので、表面皮革４Ｄはネット７の編み目からやや盛り上がり気味に出現し、独特のデザインをもたらす。
【実施例６】
【００３２】
図７は、実施例６に係るボタンであり、（ａ）は完成状態の斜視図、（ｂ）は部品展開斜視図である。
【００３３】
実施例５（図６）と異なるのは、表面皮革４Ｅと外縁５Ｅの間に円形ネットではなく、複数の円形くり抜き部７１を有する押さえ板７Ｅを配置したことである。
【００３４】
完成状態では、表面皮革４Ｅは、上からは外縁５Ｅ及び押さえ板７Ｅにより押さえられ、下からは、中座３Ｅにより押さえられ、上下で固定される。
【００３５】
この実施例では、図７（ａ）に示すように、押さえ板７Ｅが表面皮革４Ｅを押し付けるので、表面皮革４Ｅはくり抜き部７１からやや盛り上がり気味に出現し、独特のデザインをもたらす。
【実施例７】
【００３６】
図８は、実施例７に係るボタンであり、（ａ）は完成状態の斜視図、（ｂ）は部品展開斜視図である。
【００３７】
実施例６（図７）と異なるのは、表面皮革４Ｆと外縁５Ｆの間に橋渡し部分７２を有する円形くり抜き部７１Ｆを有する押さえ板７Ｆを配置したことである。
【００３８】
完成状態では、表面皮革４Ｆは、上からは外縁５Ｆ及び押さえ板７Ｆにより押さえられ、下からは、中座３Ｆにより押さえられ、上下で固定される。
【００３９】
この実施例では、図８（ａ）に示すように、押さえ板７Ｆが表面皮革４Ｆを押し付けるので、表面皮革４Ｆはくり抜き部７１Ｆからやや盛り上がり気味に出現し、独特のデザインをもたらす。
【００４０】
図示しないが、押さえ板のくり抜き部の形状は実施例６、７の形状７１、７１Ｆに限定されず、他にもさまざまなデザインを採用することができる。
【実施例８】
【００４１】
図９は、実施例８に係るボタンであり、（ａ）は完成状態の斜視図、（ｂ）は部品展開斜視図である。
【００４２】
実施例１（図１）と異なり、ベース２Ｇの脚部２１Ｇが針金リング状のものでなく、円筒状のものであり、取付対象物の下側から打付けにより固定されている。
【００４３】
さらに実施例１（図１）と異なり、中座３Ｇには、溝３２Ｇのほかに、デザインを施した隆起３５が設けられている。また、軟質素材４Ｇとして、デニム生地を使用している。
【００４４】
完成状態では、デニム生地４Ｇは、上からは外縁５Ｇにより押さえられ、下からは、中座３Ｇにより押さえられ、上下で固定される。
【００４５】
この実施例では、図９（ａ）に示すように、中座３Ｇのデザインを施した隆起３５により、デニム生地４Ｇが押し上げられて、盛り上がり気味に浮かび上がり、独特のデザインをもたらす。しかも長く使用すればするほど、デニム生地が擦れてそのデザインがはっきり現れるようになる。なお、当然のことながら、このデザインを施した隆起にもデニム生地４Ｇの位置固定効果はある。
【００４６】
その他、図示しないが、中座の溝や突起の形状はさまざま変形が可能である。要するに下側から軟質素材を固定することができればどのようなものでもよい。また、ボタンは、スナップボタンの雄または雌部材に系合可能な脚部を備えたスナップボタン頭でも良い。
【図面の簡単な説明】
【００４７】
【図１】実施例１に係るボタンであり、（ａ）は完成状態の斜視図、（ｂ）は部品展開斜視図である。
【図２】図１のＡ−Ａ断面図である。
【図３】実施例２を表す完成状態の断面図である。
【図４】実施例３に係るボタンであり、（ａ）は完成状態の斜視図、（ｂ）は部品展開斜視図である。
【図５】実施例４に係るボタンであり、（ａ）は完成状態の斜視図、（ｂ）は部品展開斜視図である。
【図６】実施例５に係るボタンであり、（ａ）は完成状態の斜視図、（ｂ）は部品展開斜視図である。
【図７】実施例６に係るボタンであり、（ａ）は完成状態の斜視図、（ｂ）は部品展開斜視図である。
【図８】実施例７に係るボタンであり、（ａ）は完成状態の斜視図、（ｂ）は部品展開斜視図である。
【図９】実施例８に係るボタンであり、（ａ）は完成状態の斜視図、（ｂ）は部品展開斜視図である。
【符号の説明】
【００４８】
１，１Ａ，１Ｂ，１Ｃ，１Ｄ，１Ｅ，１Ｆ，１Ｇ     ボタン
２，２Ａ，２Ｂ，２Ｃ，２Ｄ，２Ｅ，２Ｆ，２Ｇ     ベース
２１   脚部
２２   外周
２３   皿
３，３Ａ，３Ｂ，３Ｃ，３Ｄ，３Ｅ，３Ｆ    中座
３１   円板
３２   溝
３２Ａ 隆起
３３   突起
３４   突起
３５   デザインを施した隆起
４，４Ａ，４Ｂ，４Ｃ，４Ｄ，４Ｅ，４Ｆ    表面皮革
５Ｇ   デニム生地
５，５Ａ，５Ｂ，５Ｃ，５Ｄ，５Ｅ，５Ｆ，５Ｇ     外縁
５２，５２Ａ  外縁端部
５３，５３Ａ  端部
７，７Ｅ，７Ｆ         押さえ板
【図１】
2008264013.tif 000003
【図２】
2008264013.tif 000004
【図３】
2008264013.tif 000005
【図４】
2008264013.tif 000006
【図５】
2008264013.tif 000007
【図６】
2008264013.tif 000008
【図７】
2008264013.tif 000009
【図８】
2008264013.tif 000010
【図９】
2008264013.tif 000011